(57)【要約】【課題】コンタクトガラス上に原稿物を置く時の操作性、およびセット性を改善する画像形成装置を提供することにある。【解決手段】シート原稿読み取り装置１６を有する画像形成装置Ａにおいて、操作部１５を装置Ａの手前に配置し、前記シート読み取り機構１６の開閉支点１９を装置Ａの後ろ上面に配置した画像形成装置。【選択図】      図７
2004260629.tif 000002
【特許請求の範囲】
【請求項１】
シート原稿読み取り装置を有する画像形成装置において、操作部を装置の手前に配置し、前記シート原稿読み取り装置の開閉支点を装置の後ろ上面に配置したことを特徴とする画像形成装置。
【請求項２】
読み取り基準を前記操作部に対して装置奥側にしたことを特徴する請求項１記載の画像形成装置。
【請求項３】
シート読み取り基準を、前記読み取り基準側である装置奥側に配置したことを特徴する請求項２記載の画像形成装置
【請求項４】
シート原稿読み取り装置を有する画像形成装置において、読み取り（主走査）サイズが印刷部（主走査）サイズより大きいことを特徴とする画像形成装置。
【発明の詳細な説明】
【０００１】
【発明の属する技術分野】
本発明は、原稿と画像読み取り部を相対的に移動させることによって原稿画像を走査するファクシミリ、複合型プリンタ（ＭＦＰ）等のデジタル画像形成装置に関するものである。
【０００２】
【従来の技術】
原稿と画像読み取り部を相対的に移動させることによって原稿画像を走査する画像形成装置は知られている（例えば、特許文献１参照）。
【特許文献１】特開２００１−２２２２０２公報
【０００３】
【発明が解決しようとする課題】
従来のラインセンサによる読み取り手段を設けた複写機では、ミラーを搭載したキャリッジを原稿に対して相対移動させ、ラインセンサを用いてライン毎に原稿画像を読み取り、その読み取った１ライン毎の画像情報を順次書き込むことにより作像を行う方法が多数発明され、実用化されている。
従来技術によると、最大原稿読み取りライン幅と、最大作像書き込みライン幅が等しく、また読み取りライン速度と書き込みライン速度も等しくし、最大原稿読み取り可能サイズと最大書き込み可能サイズは同じである場合が多かった。
このような技術においては、一度キャリッジによる読み取りを行った後に、キャリッジを初期位置まで復帰させる必要があり、この復帰動作をしている間は読み取り動作ができないため、無駄な時間が生じてしまうため、効率が悪いという不具合がある。
この無駄な時間を減らすために、復帰速度を速くする必要があるが、そのために高トルク、大電流のモータおよびモータドライバを必要とし、また、加速のための助走距離も長くする必要がある。このため、結果として高コスト、高温度上昇、機械幅拡大といった不具合を生じてしまう。
【０００４】
また、スキャナのランプ等、寿命の短い部品については、長時間使用した場合は交換が必要となる可能性があるため、できるだけ使用時間を短縮する必要がある。
さらに、ユーザによる読み取り方向が、画像形成にとって必ずしも効率のよい方向であるとは限らないため、ユーザの読み取り方向によっては画像形成に時間がかかってしまうことがある。
例えば、原稿の長手方向の長さが最大主走査読み取りライン幅以内であるにも関わらず、原稿の長手方向を主走査、短い方を副走査となるように画像読み取りを行い、その読み取りライン毎に作像を行った場合、読み取りに時間がかかるだけでなく、画像形成にも時間がかかってしまうといった不具合がある。
また、従来技術においては、最大原稿読み取りライン幅と最大作像書き込みライン幅が等しいため、書き込みサイズ以下の原稿しか読み取ることができなかった。
本発明の目的は、このような問題を解決するために、コンタクトガラス上に原稿物を置く時の操作性、およびセット性を改善する画像形成装置を提供することにある。
【０００５】
【課題を解決するための手段】
前記の課題を解決するために、請求項１記載の発明では、シート原稿読み取り装置を有する画像形成装置において、操作部を装置の手前に配置し、前記シート原稿読み取り装置の開閉支点を装置の後ろ上面に配置した画像形成装置を最も主要な特徴とする。
したがって、請求項１の発明によれば、シート読み取り機構の開閉支点を本装置後ろ上面に配置したのでコンタクトガラス上に原稿物を置く時の操作性、およびセット性がよくなる。
請求項２記載の発明では、読み取り基準を前記操作部に対して装置奥側にした請求項１記載の画像形成装置を主要な特徴とする。
したがって、請求項２の発明によれば、読み取り基凖（開始位置）を装置奥側にしたので、装置前面からの原稿セット性がよく、また原稿セット基凖側をホームポジションとし、原稿読み取りの効率があがる。
請求項３記載の発明では、シート読み取り基準を、前記読み取り基準側である装置奥側に配置した請求項２記載の画像形成装置を主要な特徴とする。
したがって、請求項３の発明によれば、シート読み取り機構を装置奥側に設けたので、シート読み取り時に走査体の移動量が少なく読み取り効率がよく、また、シート読み取り機構の開閉支点も奥なので、シート原稿の読み取り精度が安定する。
請求項４記載の発明では、シート原稿読み取り装置を有する画像形成装置において、読み取り（主走査）サイズが印刷部（主走査）サイズより大きい画像形成装置を主要な特徴とする。
したがって、読み取り（主走査）サイズは印刷部（主走査）サイズより大きいので、読み取り副走査速度と印刷部副走査速度が同速の場合、読み取り作業時間は少なくて済み、印刷中でありながら次の原稿読み取り作業を開始することができる。
【０００６】
【発明の実施の形態】
以下、図面により本発明の実施の形態を詳細に説明する。図１は本発明による画像形成装置としての複写機の構成を示すブロック図である。図２は複写機全体を示す斜視図である。図３は複写機の内部構造の要部を示す概略図である。図４は図３に示した読み取り（主走査）サイズに対して書き込み（主走査）サイズを示す概略図である。
図１ないし図４において、複写機Ａの画像．読み取り部Ｂから読み込まれた画像データは、画像加工（処理）部Ｃを通過し、出力部に転送され、画像書き込み部（印刷部）Ｄで印刷される。
【０００７】
図３について略述すると、複写機Ａは、第１走行体３および第２走行体４がそれぞれその上を走行する第１レール１および第２レール２、光学系を構成する第１ミラー５、第２、第３ミラー６、光源（ランプ）７を備えている。また、タイミングベルト９を介して駆動軸１０およびワイヤ駆動プーリ１１を駆動する駆動モータ８を備えている。
さらに、複写機Ａは、レンズ１２、ＳＢＵ（ＣＣＤ基板）１３、原稿サイズセンサ１４、操作部１５を備えている。この複写機Ａには、図２に示すごとく、シート読み取り装置１６、排紙部１７が設けてある。
本発明の複写機においては、読み取りサイズ（主走査）ａが、印刷部サイズ（主走査）ｄより大きいものを搭載している。読み取り原稿が、読み取り部Ｂに置かれると、原稿サイズセンサ１４により、原稿サイズを検知、認識する。
本発明の複写機では、原稿からの読み取った画像情報と、印刷すべき出力サイズを合わせるという画像加工部Ｃがある。画像加工部Ｃは印刷する転写紙サイズを検知し、または、操作部１５などからあらかじめ入力したサイズなどと画像印刷領域を合わせる作業を行う。
【０００８】
図５は本発明による画像形成装置としての複写機による簡単な複写例を説明する概略図である。図６は図５の複写例の情報を簡略化して示す概略図である。読み取りサイズ（主走査）が、Ａ３サイズの長手（４２０ｍｍ）を読むことができ、印刷部（主走査）サイズがＡ３サイズの短手（２９７ｍｍ）を印刷できるサイズとしたとき、画像読み取り部ＢからＡ３サイズ原稿を読ませ複写する。
画像読み取り部Ｂから読み取った画像情報は、主走査：４２０ｍｍ、副走査：２９７ｍｍという画像サイズである。画像印刷部Ｄ（主走査）サイズは２９７ｍｍ（Ａ３サイズの短手）であるので、画像加工部Ｃは、読み取り画像の副走査を、画像印刷部Ｄの主走査に画像配列を置き換え、画像印刷部Ｄに画像転送し、印刷を行う。
このとき、読み取り（主走査）サイズは、印刷部（主走査）サイズより大きいので、読み取り副走査速度と印刷部副走査速度が同速の場合、読み取り作業時間は少なくて済み、印刷中でありながら次の原稿読み取り作業を開始することができる。
また、読み取り走査体などのリターンに時間を取ることができ、複写機振動の低減、スキャナ駆動装置の負荷低減が可能である。または、（読み取り部主走査サイズ）／（印刷部主走査サイズ）の分だけ印刷副走査速度を上げることで複写の生産性向上も図れる。
【０００９】
図７は本発明による画像形成装置としての複写機の他の実施の形態を示す概略図である。図８は図７の複写機の光線経路を説明する概略図である。図７および図８において、画像読み取り部Ｂのシート原稿読み取り装置１６には、複数の原稿サイズセンサ（シート原稿読み取り部）１８を設けている。また、開閉ヒンジ１９が紙面上側、すなわち、操作部１５から最も離れた位置に設けてある。
図８において、光源（ランプ）７からの光線は第１走行体３の第１ミラー５、第２走行体４の第２、第３ミラー６を経由してレンズ１２に入り、ＳＢＵ（ＣＣＤ基板）１３に達する光線経路を移動する。
上記の複写機では、読み取り主走査サイズが４２０ｍｍであるので、Ａ２サイズ縦方向で読み取りが可能となる。このＡ２縦サイズの原稿情報を複写する場合は、画像加工部Ｃで変倍し、原稿サイズから縮小した複写とすることで原稿全面印刷することが可能である。
また、画像読み取り部Ｂに設けたシート原稿読み取り装置１６に複数の原稿サイズ検知手段（センサ）１８を設けることで、複写原稿サイズを適確に認識し、最適な転写紙サイズを選択する。この最適とは、本実施の形態でいうと、なるべく原稿サイズに近い転写紙を選択することで、Ａ２サイズであればＡ３（印刷主走査の最大紙サイズ）となる。
また、原稿サイズ、転写紙サイズから、画像加工部Ｃは画像回転、画像変倍などモードを切り替える。また、画像加工部Ｃに記録媒体を備えることで、大量の連続した原稿画像を複数部として印刷することもできる。
等倍の複写のときにおいても、読み取り速度を変更させて読み取り、複写効率を追求する。例えば、原稿セットがＡ４縦で複数枚、複数部の複写をする場合、読み取り速度は少なくとも、（Ａ４長手）／（Ａ４短手）以上とし、読み取る。
画像印刷部Ｄは、主走査サイズがＡ４長手（２９７ｍｍ）あるので、複写効率から、読み取り速度上げて読み取った原稿画像情報を、画像加工部Ｃを通し画像印刷部ＤでＡ４横（印刷主走査がＡ４長手）で印刷する。また、原稿セットサイズと転写紙サイズから、最適な読み取り速度で読み取り、複写する。
【００１０】
上記動作を行う画像形成装置において、シート読み取り機構開閉支点を画像形成装置の奥側上面（読み取り手段の奥側）に配置し、厚紙原稿や冊子原稿、立体物の読み取りのさいには、シート読み取り機構を開閉し読み取り対象物をコンタクトガラス上に置くので、シート読み取り機構を開閉支点が奥側にあることで、コンタクトガラスに置いた場合の読み取り操作性がよくなる。
また、読み取り基準Ｅを奥にすることで、装置前面（操作面）からの原稿セット性がよくなる。手で原稿物を置く際に奥で原稿端面が突き当たりセット性がよい。また、読み取り手段の走査体も奥側でホームポジションとし原稿読み取りの効率が上がる。
原稿セット基準側に走査体ホームを設けていることで、さらに奥側（原稿セット基準、走査体ホーム位置）にシート読み取り機構の読み取り位置を合わせることで、シート読み取り時に走査体の移動量が少なく読み取り効率がよい。また、シート読み取り機構開閉支点１９も奥なのでシート原稿読み取り位置精度が安定する。
【００１１】
【発明の効果】
以上説明したように、請求項１によれば、シート読み取り機構の開閉支点を本装置後ろ上面に配置したのでコンタクトガラス上に原稿物を置く時の操作性、およびセット性がよくなる。
請求項２によれば、読み取り基準（開始位置）を装置奥側にしたので、装置前面からの原稿セット性がよく、また、原稿セット基準側をホームポジションとし、原稿読み取りの効率が上がる。
請求項３によれば、シート読み取り機構を装置奥側に設けたので、シート読み取り時に走査体の移動量が少なく読み取り効率がよく、また、シート読み取り機構の開閉支点も奥なので、シート原稿の読み取り精度が安定する。
請求項４によれば、読み取り（主走査）サイズは印刷部（主走査）サイズより大きいので、読み取り副走査速度と印刷部副走査速度が同速の場合、読み取り作業時間は少なくて済み、印刷中でありながら次の原稿読み取り作業を開始することができる。
【図面の簡単な説明】
【図１】本発明による画像形成装置としての複写機の構成を示すブロック図である。
【図２】複写機全体を示す斜視図である。
【図３】複写機の内部構造の要部を示す概略図である。
【図４】図３に示した読み取り（主走査）サイズに対して書き込み（主走査）サイズを示す概略図である。
【図５】本発明による画像形成装置としての複写機による簡単な複写例を説明する概略図である。
【図６】図５の複写例の情報を簡略化して示す概略図である。
【図７】本発明による画像形成装置としての複写機の他の実施の形態を示す概略図である。
【図８】図７の複写機の光線経路を説明する概略図である。
【符号の説明】
Ａ  複写機（画像形成装置）
Ｂ  画像読み取り部
Ｃ  画像加工部（加工モード選択手段）
Ｄ  画像印刷部
Ｅ  シート原稿読み取り部（原稿読み取り開始位置）
１４  原稿サイズ検知手段
１６  シート原稿読み取り装置
１８  原稿サイズセンサ
１９  開閉ヒンジ（開閉支点）
【図１】
2004260629.tif 000003
【図２】
2004260629.tif 000004
【図３】
2004260629.tif 000005
【図４】
2004260629.tif 000006
【図５】
2004260629.tif 000007
【図６】
2004260629.tif 000008
【図７】
2004260629.tif 000009
【図８】
2004260629.tif 000010